(57)【要約】【課題】洗浄水を独立した水塊として断続的に噴出することが可能であるとともに大型化が抑制されかつ低コスト化が可能な衛生洗浄装置を提供する。【解決手段】水ポンプ１１が洗浄水を変動する圧力で人体洗浄ノズル５４０に供給し、空気ポンプ１４が空気を人体洗浄ノズル５４０に供給する。空気ポンプ１４から供給される空気の圧力が水ポンプ１１から供給される洗浄水の圧力よりも高くなると、洗浄水に空気が混入される。洗浄水は人体洗浄ノズル５４０の直線流路５５１内で空気により分断され、分断された洗浄水は独立した水塊として孔部から断続的に噴出される。【選択図】図３
2010031637.tif 000002
【特許請求の範囲】
【請求項１】
洗浄水を変動する圧力で供給する洗浄水供給装置と、
空気を供給する空気供給装置と、
噴出口を有し、前記洗浄水供給装置により供給される洗浄水および前記空気供給装置により供給される空気を前記噴出口から噴出する噴出装置とを備え、
前記噴出装置からの洗浄水の噴出期間内に少なくとも１回、前記噴出装置に供給される空気の圧力が前記噴出装置に供給される洗浄水の圧力よりも高くなるように前記洗浄水供給装置により供給される洗浄水の圧力および前記空気供給装置により供給される空気の圧力が設定されることを特徴とする衛生洗浄装置。
【請求項２】
前記噴出装置に供給される空気の圧力は、前記噴出装置に供給される洗浄水の圧力の最大値よりも低くなるように設定されることを特徴とする請求項１記載の衛生洗浄装置。
【請求項３】
前記空気供給装置は、空気を一定の圧力で供給することを特徴とする請求項１または２記載の衛生洗浄装置。
【請求項４】
前記空気供給装置は、空気を変動する圧力で供給することを特徴とする請求項１または２記載の衛生洗浄装置。
【請求項５】
前記空気供給装置は、空気を周期的に変動する圧力で加圧する空気加圧装置を含み、
前記洗浄水供給装置は、前記給水源から供給される洗浄水を周期的に変動する圧力で加圧する洗浄水加圧装置を含み、
前記噴出装置に供給される空気の圧力の最大値が前記噴出装置に供給される洗浄水の圧力の最小値よりも高くなるように、前記洗浄水加圧装置により加圧される洗浄水の圧力および前記空気加圧装置により加圧される空気の圧力が設定されることを特徴とする請求項１または２記載の衛生洗浄装置。
【請求項６】
前記噴出装置に供給される空気の圧力の変動周波数が前記噴出装置に供給される洗浄水の圧力の変動周波数よりも高くなるように、前記洗浄水加圧装置により加圧される洗浄水の圧力および前記空気加圧装置により加圧される空気の圧力が設定されることを特徴とする請求項５記載の衛生洗浄装置。
【請求項７】
前記噴出装置に供給される空気の圧力の変動周波数が前記噴出装置に供給される洗浄水の圧力の変動周波数よりも低くなるように、前記洗浄水加圧装置により加圧される洗浄水の圧力および前記空気加圧装置により加圧される空気の圧力が設定されることを特徴とする請求項５記載の衛生洗浄装置。
【請求項８】
前記噴出装置は、前記洗浄水供給装置により供給される洗浄水および前記空気供給装置により供給される空気を前記噴出口に導く流路をさらに有し、
前記流路内を流動する洗浄水が空気により分断されるように前記洗浄水供給装置により供給される洗浄水の圧力および前記空気供給装置により供給される空気の圧力が設定されることを特徴とする請求項１〜７のいずれかに記載の衛生洗浄装置。
【請求項９】
前記洗浄水供給装置により供給される洗浄水および前記空気供給装置により供給される空気を合流させて前記噴出装置の前記流路に導く合流部をさらに備えることを特徴とする請求項８記載の衛生洗浄装置。
【請求項１０】
洗浄強さを設定するために使用者により操作される操作部と、
前記噴出装置から噴出される洗浄水の圧力が前記操作部の操作により設定された洗浄強さに対応する圧力になるように前記洗浄水供給装置および前記空気供給装置の少なくとも一方を制御する制御部とをさらに備えることを特徴とする請求項１〜９のいずれかに記載の衛生洗浄装置。
【請求項１１】
前記洗浄水供給装置により供給される洗浄水の流量を検出する流量検出器をさらに備え、
前記制御部は、前記流量検出器により検出された流量に基づいて前記噴出装置から噴出された洗浄水の圧力が前記操作部の操作により設定された洗浄強さに対応する圧力になるように前記洗浄水供給装置および前記空気供給装置の少なくとも一方を制御することを特徴とする請求項１０記載の衛生洗浄装置。
【請求項１２】
前記噴出装置からの洗浄水の噴出期間に前記供給源から供給される洗浄水を流動させつつ加熱して前記洗浄水供給装置に供給する瞬間式加熱装置をさらに備える請求項１〜１１のいずれかに記載の衛生洗浄装置。
【発明の詳細な説明】
【技術分野】
【０００１】
本発明は、人体の局部を洗浄する衛生洗浄装置に関する。
【背景技術】
【０００２】
従来より、人体の局部を洗浄する衛生洗浄装置においては、使用者の嗜好に応じた洗浄を実現すべく各種機能が設けられている。このような衛生洗浄装置の一例として、特許文献１の人体洗浄装置を説明する。
【０００３】
この人体洗浄装置においては、人体の局部の洗浄時に、水道配管を分岐して得られる水道水が接続配管を通じて熱交換器に送られ、所定の温度に加熱される。熱交換器により加熱された水道水は、人体の局部を洗浄する洗浄水としておしりホースまたはビデホースを通しておしりノズルまたはビデノズルに送られる。
【０００４】
ここで、おしりホースおよびビデホースには、空気ポンプから延びる空気ホースが接続されている。おしりホースまたはビデホースの内部を洗浄水が流動する状態で空気ポンプが動作することにより、おしりホースまたはビデホースの内部に空気が供給される。これにより、おしりホースまたはビデホースの内部を流動する洗浄水に空気が混入される。空気が混入された洗浄水が、おしりノズルまたはビデノズルから人体の局部に噴出される。
【先行技術文献】
【特許文献】
【０００５】
【特許文献１】特開２００２−２１１５５号公報
【発明の概要】
【発明が解決しようとする課題】
【０００６】
上記の人体洗浄装置は、おしりホースおよびビデホース内を流動する洗浄水の流量を調節する機能を備える。それにより、おしりノズルおよびビデノズルから噴出される洗浄水の流量を調節することができる。
【０００７】
しかしながら、洗浄水の流量が多くなると、おしりホースまたはビデホース内の洗浄水の圧力が高くなる。その場合、洗浄水に流入される空気の量が減少する。それにより、おしりノズルまたはビデノズルから洗浄水を水塊として噴出することが困難となる。
【０００８】
洗浄水に十分な量の空気を混入させるためには、大型の空気ポンプを用いて空気を加圧する必要がある。その場合、人体洗浄装置が大型化するとともにコストが上昇する。
【０００９】
本発明の目的は、洗浄水を独立した水塊として断続的に噴出することが可能であるとともに大型化が抑制されかつ低コスト化が可能な衛生洗浄装置を提供することである。
【課題を解決するための手段】
【００１０】
（１）第１の発明に係る衛生洗浄装置は、洗浄水を変動する圧力で供給する洗浄水供給装置と、空気を供給する空気供給装置と、噴出口を有し、洗浄水供給装置により供給される洗浄水および空気供給装置により供給される空気を噴出口から噴出する噴出装置とを備え、噴出装置からの洗浄水の噴出期間内に少なくとも１回、噴出装置に供給される空気の圧力が噴出装置に供給される洗浄水の圧力よりも高くなるように洗浄水供給装置により供給される洗浄水の圧力および空気供給装置により供給される空気の圧力が設定されるものである。
【００１１】
第１の発明に係る衛生洗浄装置においては、洗浄水が洗浄水供給装置により変動する圧力で噴出装置に供給され、空気が空気供給装置により噴出装置に供給され、供給された洗浄水および空気が噴出口から噴出される。この場合、噴出装置に供給される空気の圧力は、噴出装置からの洗浄水の噴出期間内に少なくとも１回、噴出装置に供給される洗浄水の圧力よりも高くなる。
【００１２】
噴出装置に供給される空気の圧力が噴出装置に供給される洗浄水の圧力よりも高くなるときに、空気が洗浄水に混入される。それにより、噴出口から噴出される洗浄水が水塊として断続的に噴出される。
【００１３】
洗浄水の圧力は変動しているので、洗浄水の流量が多い場合でも、空気の圧力を高めることなく、洗浄水の圧力が空気の圧力よりも低下する時点を容易に作り出すことができる。したがって、空気供給装置を大型化する必要がない。その結果、衛生洗浄装置の大型化が抑制されるとともに、低コスト化が可能となる。
【００１４】
（２）噴出装置に供給される空気の圧力は、噴出装置に供給される洗浄水の圧力の最大値よりも低くなるように設定されてもよい。
【００１５】
この場合、噴出装置に供給される空気の圧力を高める必要がない。そのため、空気供給装置を大型化する必要がない。その結果、衛生洗浄装置の大型化が抑制されるとともに、低コスト化が可能となる。
【００１６】
（３）空気供給装置は、空気を一定の圧力で供給してもよい。この場合、噴出装置に供給される空気を噴出装置に供給される洗浄水に規則的に混入させることが可能となる。これにより、噴出装置からは洗浄水と空気とが規則的に交互に噴出される。このような洗浄水を使用することにより、使用者は安定感の高い洗浄感を得ることができる。
【００１７】
（４）空気供給装置は、空気を変動する圧力で供給してもよい。この場合、噴出装置に供給される空気を噴出装置に供給される洗浄水に不規則に混入させることが可能となる。これにより、噴出装置からは洗浄水と空気とが不規則に交互に噴出される。このような洗浄水を使用することにより、使用者は刺激感の高い洗浄感を得ることができる。
【００１８】
（５）空気供給装置は、空気を周期的に変動する圧力で加圧する空気加圧装置を含み、洗浄水供給装置は、給水源から供給される洗浄水を周期的に変動する圧力で加圧する洗浄水加圧装置を含み、噴出装置に供給される空気の圧力の最大値が噴出装置に供給される洗浄水の圧力の最小値よりも高くなるように、洗浄水加圧装置により加圧される洗浄水の圧力および空気加圧装置により加圧される空気の圧力が設定されてもよい。
【００１９】
この場合、噴出装置に供給される洗浄水の圧力および噴出装置に供給される空気の圧力が周期的に変動する。また、噴出装置に供給される空気の圧力が噴出装置に供給される洗浄水よりも高くなるときに噴出装置に供給される空気が噴出装置に供給される洗浄水に混入される。
【００２０】
洗浄水の周期的な圧力変動および空気の周期的な圧力変動は、洗浄水供給装置の構成および空気供給装置の構成を複雑化することなく得ることができる。そのため、衛生洗浄装置の低コスト化が可能となる。
【００２１】
（６）噴出装置に供給される空気の圧力の変動周波数が噴出装置に供給される洗浄水の圧力の変動周波数よりも高くなるように、洗浄水加圧装置により加圧される洗浄水の圧力および空気加圧装置により加圧される空気の圧力が設定されてもよい。
【００２２】
この場合、噴出装置に供給される空気の圧力の変動周波数は噴出装置に供給される洗浄水の圧力よりも高い。そのため、より単純な構成で、噴出装置に供給される空気を噴出装置に供給される洗浄水に規則的に混入させることができる。これにより、噴出装置からは洗浄水と空気とが規則的に交互に噴出される。その結果、噴出装置から独立した水塊が規則的に噴出される。このような洗浄水を使用することにより、使用者は安定感の高い洗浄感を得ることができる。
【００２３】
（７）噴出装置に供給される空気の圧力の変動周波数が噴出装置に供給される洗浄水の圧力の変動周波数よりも低くなるように、洗浄水加圧装置により加圧される洗浄水の圧力および空気加圧装置により加圧される空気の圧力が設定されてもよい。
【００２４】
この場合、噴出装置に供給される空気の圧力の変動周波数は噴出装置に供給される洗浄水の圧力よりも低い。そのため、より単純な構成で、噴出装置に供給される空気を噴出装置に供給される洗浄水に不規則に混入させることができる。これにより、噴出装置からは洗浄水と空気とが不規則に交互に噴出される。その結果、噴出装置から独立した水塊が不規則に噴出される。このような洗浄水を使用することにより、使用者は刺激感の高い洗浄感を得ることができる。
【００２５】
（８）噴出装置は、洗浄水供給装置により供給される洗浄水および空気供給装置により供給される空気を噴出口に導く流路をさらに有し、流路内を流動する洗浄水が空気により分断されるように洗浄水供給装置により供給される洗浄水の圧力および空気供給装置により供給される空気の圧力が設定されてもよい。
【００２６】
この場合、噴出装置の流路内を流動する洗浄水が空気により分断されることにより、噴出装置の噴出口から噴出される洗浄水が空気により確実に分断される。それにより、噴出口から洗浄水を独立した水塊として確実に噴出させることができる。
【００２７】
（９）衛生洗浄装置は、洗浄水供給装置により供給される洗浄水および空気供給装置により供給される空気を合流させて噴出装置の流路に導く合流部をさらに備えてもよい。
【００２８】
この場合、空気供給装置により供給される空気と洗浄水供給装置により供給される洗浄水とが合流部にて合流する。また、流路内を流動する洗浄水が空気により効率よく分断される。これにより、噴出装置から効率よく洗浄水と空気とを交互に噴出させることができる。その結果、洗浄水は空気の圧力により噴出方向へ加圧される。このような洗浄水を使用することにより、洗浄水の洗浄力をさらに向上させることができる。また、少量の洗浄水により十分な洗浄が可能であるため、節水効果をさらに得ることもできる。
【００２９】
（１０）衛生洗浄装置は、洗浄強さを設定するために使用者により操作される操作部と、噴出装置から噴出される洗浄水の圧力が操作部の操作により設定された洗浄強さに対応する圧力になるように洗浄水供給装置および空気供給装置の少なくとも一方を制御する制御部とをさらに備えてもよい。
【００３０】
この場合、使用者が操作部を操作することにより洗浄強さを設定すると、噴出装置から噴出される洗浄水の圧力が設定された洗浄強さに対応する圧力になるように洗浄水供給装置および空気供給装置の少なくとも一方が制御される。これにより、噴出装置から噴出される洗浄水の圧力を設定された洗浄強さに対応する圧力に維持することができる。
【００３１】
（１１）衛生洗浄装置は、洗浄水供給装置により供給される洗浄水の流量を検出する流量検出器をさらに備え、制御部は、流量検出器により検出された流量に基づいて噴出装置から噴出された洗浄水の圧力が操作部の操作により設定された洗浄強さに対応する圧力になるように洗浄水供給装置および空気供給装置の少なくとも一方を制御してもよい。
【００３２】
この場合、流量検出器により検出された流量に基づいて、洗浄水供給装置および空気供給装置の少なくとも一方が制御される。これにより、洗浄水の流量が変動する場合でも、噴出装置から噴出される洗浄水の圧力を設定された洗浄強さに対応する圧力に維持することができる。
【００３３】
（１２）衛生洗浄装置は、噴出装置からの洗浄水の噴出期間に供給源から供給される洗浄水を流動させつつ加熱して洗浄水供給装置に供給する瞬間式加熱装置をさらに備えてもよい。
【００３４】
この場合、供給源から供給される洗浄水は流動しつつ、噴出装置からの洗浄水の噴出期間に瞬間式加熱装置により瞬間的に加熱される。これにより、加熱された洗浄水を予め準備しておく必要がない。また、大量に洗浄水を使用する場合において、加熱された洗浄水が不足することがない。さらに、衛生洗浄装置の未使用時における瞬間式加熱装置内の洗浄水の異常な温度上昇および洗浄水の空焚きが防止される。その結果、より省資源かつ安全な衛生洗浄装置を提供することができる。
【発明の効果】
【００３５】
本発明によれば、洗浄水を独立した水塊として断続的に噴出することが可能であるとともに大型化が抑制されかつ低コスト化が可能な衛生洗浄装置を提供することができる。
【図面の簡単な説明】
【００３６】
【図１】本発明の一実施の形態に係る衛生洗浄装置の外観斜視図
【図２】図１の遠隔操作装置の正面図
【図３】本体部の構成を示す模式図
【図４】熱交換器の構造の一例を示す一部切り欠き断面図
【図５】本体部の内部に設けられるノズル装置の外観斜視図
【図６】ノズル装置における洗浄水の給水系を説明するための図
【図７】図６のノズル装置のＡ−Ａ線縦断面図
【図８】人体洗浄ノズルがノズルガイド台から突出した状態を示す外観斜視図
【図９】人体洗浄ノズルの上面図
【図１０】人体洗浄ノズルの下面図
【図１１】人体洗浄ノズルの一方側の側面図
【図１２】図９の人体洗浄ノズルのＢ−Ｂ線断面図
【図１３】図１１の人体洗浄ノズルのＥ−Ｅ線断面図
【図１４】図９の人体洗浄ノズルのＣ−Ｃ線断面図
【図１５】図９の人体洗浄ノズルのＤ−Ｄ線断面図
【図１６】図１２の人体洗浄ノズルの先端部を拡大した断面図
【図１７】図１６の人体洗浄ノズルのＦ−Ｆ線断面図
【図１８】空気ポンプの模式的断面図
【図１９】水塊噴出時に維持される水圧力と空気圧力との第１の圧力関係を示すグラフ
【図２０】水塊噴出時に維持される水圧力と空気圧力との第２の圧力関係を示すグラフ
【図２１】水塊噴出時に維持される水圧力と空気圧力との第３の圧力関係を示すグラフ
【図２２】水塊噴出時に維持される水圧力と空気圧力との圧力関係の他の例を示すグラフ
【図２３】Ｔ字管の例を示す図
【発明を実施するための形態】
【００３７】
以下、本発明の一実施の形態に係る衛生洗浄装置について図面を参照しつつ説明する。
【００３８】
（１）衛生洗浄装置の外観
図１は、本発明の一実施の形態に係る衛生洗浄装置１００の外観斜視図である。この衛生洗浄装置１００は、トイレットルーム内に設置される。
【００３９】
図１に示すように、衛生洗浄装置１００は、本体部２００、遠隔操作装置３００、便座部４００、蓋部４１０および入室検知センサ６００により構成される。
【００４０】
本体部２００は、トイレットルーム内の便器に取り付けられる。本体部２００には、便座部４００および蓋部４１０が開閉可能に取り付けられている。また、本体部２００の内部には、ノズル装置５００および図示しない洗浄水供給機構が設けられている。さらに、本体部２００には、後述の制御部９０（図３）が内蔵されている。
【００４１】
図１に示すように、本体部２００の正面下部にノズル装置５００の一部が露出している。ノズル装置５００は、洗浄水供給機構を介して水道配管に接続されている。人体の局部の洗浄時には、ノズル装置５００の露出部分から後述する人体洗浄ノズル５４０（図３）が図示しない便器内に突出し、人体の局部に洗浄水を噴出する。
【００４２】
遠隔操作装置３００には、複数のスイッチが設けられている。遠隔操作装置３００は、例えば便座部４００上に着座する使用者が操作可能な場所に取り付けられる。
【００４３】
入室検知センサ６００は、トイレットルームの入口等に取り付けられる。入室検知センサ６００は、例えば反射型の赤外線センサである。この場合、入室検知センサ６００は、人体から反射された赤外線を検出した場合にトイレットルーム内に使用者が入室したことを検知する。
【００４４】
本体部２００の制御部９０（図３）は、遠隔操作装置３００および入室検知センサ６００から送信される信号に基づいて、衛生洗浄装置１００の各部の動作を制御する。
【００４５】
（２）遠隔操作装置の構成
図２は、図１の遠隔操作装置３００の正面図である。遠隔操作装置３００は、コントローラ本体部３０１の下部にコントローラ蓋部３０２が開閉自在に設けられた構造を有する（図２（ａ）矢印参照）。
【００４６】
図２（ａ）に示すように、コントローラ蓋部３０２が閉じられた状態で、コントローラ本体部３０１の上部には、水流スイッチ３２０、空気スイッチ３２１、強さ調整スイッチ３２２，３２３および位置調整スイッチ３２４，３２５が設けられる。コントローラ蓋部３０２には、停止スイッチ３１１、おしりスイッチ３１２およびビデスイッチ３１３が設けられる。
【００４７】
使用者により、上記スイッチ３１１〜３１３，３２０〜３２５が操作される。これにより、遠隔操作装置３００から図１の本体部２００に各スイッチ３１１〜３１３，３２０〜３２５に応じた信号が無線送信される。本体部２００の制御部９０（図３）は、受信した信号に基づいて本体部２００（図１）および便座部４００（図１）の各構成部の動作を制御する。
【００４８】
例えば、使用者がおしりスイッチ３１２またはビデスイッチ３１３を操作することにより、後述するノズル装置５００（図３）から使用者の局部に洗浄水が噴出される。また、使用者が停止スイッチ３１１を操作することにより、ノズル装置５００から洗浄水の噴出が停止される。
【００４９】
使用者が強さ調整スイッチ３２２，３２３を操作することにより、使用者の局部に噴出される洗浄水の流量および圧力等が調整される。また、使用者が位置調整スイッチ３２４，３２５を操作することにより、後述する人体洗浄ノズル５４０（図３）の位置が調整される。これにより、使用者の局部への洗浄水の噴出位置が調整される。
【００５０】
使用者が水流スイッチ３２０を操作することにより、使用者の局部に噴出される洗浄水の噴出形態が後述する直線流と分散旋回流との間で切り替えられる。
【００５１】
使用者が空気スイッチ３２１を操作することにより、ノズル装置５００の内部を流れる洗浄水に空気が混入される。これにより、ノズル装置５００から使用者の局部に後述する洗浄水の水塊が断続的に噴出される。
【００５２】
図２（ｂ）に、コントローラ蓋部３０２が開かれた状態の遠隔操作装置３００の正面図が示されている。図２（ｂ）に示すように、コントローラ蓋部３０２により覆われるコントローラ本体部３０１の下部には、上述の停止スイッチ３１１、おしりスイッチ３１２およびビデスイッチ３１３に加えて、自動開閉スイッチ３３１、水温調整スイッチ３３２および便座温度調整スイッチ３３３が設けられる。
【００５３】
これらのスイッチ３１１〜３１３，３３１〜３３３が操作される場合にも、遠隔操作装置３００から本体部２００に各スイッチ３１１〜３１３，３３１〜３３３に応じた信号が無線送信される。これにより、本体部２００の制御部９０は、受信した信号に基づいて本体部２００および便座部４００の各構成部の動作を制御する。
【００５４】
自動開閉スイッチ３３１がオン状態のときに、トイレットルームへの使用者の入室に応じて蓋部４１０が開閉される。
【００５５】
使用者が水温調整スイッチ３３２を操作することにより、ノズル装置５００から使用者の局部に噴出される洗浄水の温度が調整される。使用者が便座温度調整スイッチ３３３を操作することにより、便座部４００の温度が調整される。
【００５６】
（３）本体部における給水系および制御系の構成
図３は、本体部２００の構成を示す模式図である。図３に示すように、本体部２００は、分岐水栓２、ストレーナ４、逆止弁５、定流量弁６、止水電磁弁７、流量センサ８、熱交換器９、水ポンプ１１、バッファタンク１２、ノズル装置５００、バキュームブレーカ３１，６１、サーミスタＳ１，Ｓ２および制御部９０を含む。
【００５７】
水道配管１には分岐水栓２が介挿される。分岐水栓２と熱交換器９との間に接続される配管３には、上流から下流に向かってストレーナ４、逆止弁５、定流量弁６、止水電磁弁７、サーミスタＳ１および流量センサ８がこの順で介挿される。熱交換器９とノズル装置５００との間に接続される配管１０には、上流から下流に向かってサーミスタＳ２、水ポンプ１１およびバッファタンク１２がこの順で介挿される。
【００５８】
ノズル装置５００は、切替弁１３、空気ポンプ１４、人体洗浄ノズル５４０およびノズル洗浄ノズル５２０を含む。人体洗浄ノズル５４０には、直線流路５５１、旋回流路５５２およびビデ流路５５３が形成されている。切替弁１３には切替弁モータ１３ｍが接続される。
【００５９】
切替弁１３は複数のポートを含む。切替弁１３の複数のポートに人体洗浄ノズル５４０の流路５５１，５５２，５５３およびノズル洗浄ノズル５２０がそれぞれ接続されている。空気ポンプ１４は、切替弁１３とノズル装置５００の直線流路５５１とをつなぐ後述のホースｈ６，ｈ７（図６）の間に接続される。
【００６０】
バキュームブレーカ３１は、止水電磁弁７と流量センサ８との間の配管３の部分から延びる分岐配管３０に接続され、熱交換器９の洗浄水噴出口よりも上方の位置に配置される。バキュームブレーカ３１には、分岐配管３２の一端が接続される。分岐配管３０と分岐配管３２とはバキュームブレーカ３１を介して連結される。分岐配管３２の他端は、例えば便器内に配置される。
【００６１】
バキュームブレーカ６１はバッファタンク１２に設けられ、熱交換器９よりも上方の位置に配置される。なお、バキュームブレーカ６１およびバッファタンク１２は一体的に形成されている。したがって、バッファタンク１２も熱交換器９よりも上方の位置に配置される。
【００６２】
次に、本体部２００における洗浄水の流れおよび制御部９０による本体部２００の各構成部の制御について説明する。
【００６３】
水道配管１を流れる浄水が、洗浄水として分岐水栓２によりストレーナ４に供給される。これにより、洗浄水に含まれるゴミおよび不純物等がストレーナ４により除去される。
【００６４】
次に、逆止弁５により配管３内における洗浄水の逆流が防止され、定流量弁６により配管３内を流れる洗浄水の流量が一定に維持される。そして、止水電磁弁７により熱交換器９への洗浄水の供給状態が切り替えられる。止水電磁弁７の動作は、制御部９０により制御される。
【００６５】
サーミスタＳ１は、配管３内を流れる洗浄水の温度を測定し、制御部９０に測定温度値を与える。流量センサ８は、配管３内を流れる洗浄水の流量を測定し、制御部９０に測定流量値を与える。熱交換器９は、配管３を通して供給される洗浄水を設定された温度に加熱する。熱交換器９の詳細については後述する。
【００６６】
続いて、水ポンプ１１は、熱交換器９により加熱された洗浄水を加熱しつつバッファタンク１２を通してノズル装置５００の切替弁１３に供給する。サーミスタＳ２は、配管１０内を流れる洗浄水の温度を測定し、制御装置９０に測定温度値を与える。
【００６７】
熱交換器９および水ポンプ１１の動作は、流量センサ８により測定された測定流量値およびサーミスタＳ１，Ｓ２により測定された測定温度値に基づいて制御部９０により制御される。
【００６８】
バッファタンク１２は、加熱された洗浄水の温度緩衝部として作用する。これにより、切替弁１３に供給される洗浄水の温度むらの発生が抑制される。
【００６９】
人体洗浄ノズル５４０は、使用者の局部の洗浄を行うために用いられる。ノズル洗浄ノズル５２０は、人体洗浄ノズル５４０における洗浄水の噴出部分を洗浄するために用いられる。
【００７０】
ノズル装置５００の切替弁１３は、切替弁モータ１３ｍが動作することにより、水ポンプ１１から供給された洗浄水を、人体洗浄ノズル５４０またはノズル洗浄ノズル５２０に選択的に供給する。これにより、人体洗浄ノズル５４０またはノズル洗浄ノズル５２０から洗浄水が噴出される。切替弁モータ１３ｍの動作は、制御部９０により制御される。
【００７１】
ここで、水ポンプ１１からの洗浄水が人体洗浄ノズル５４０の直線流路５５１に供給されている状態で、使用者により図２の空気スイッチ３２１が操作されると空気ポンプ１４が動作する。それにより、空気ポンプ１４は、切替弁１３から直線流路５５１に流れる洗浄水に空気を混入させる。その結果、ノズル装置５００から後述する洗浄水の水塊が断続的に噴出される。
【００７２】
止水電磁弁７から熱交換器９に供給される洗浄水のうちノズル装置５００において使用されない余剰な洗浄水は、分岐配管３０および分岐配管３２を介して捨て水として便器内に流される。すなわち、分岐配管３０および分岐配管３２は捨て水回路として機能する。
【００７３】
なお、熱交換器９の上流側にバキュームブレーカ３１が設けられ、熱交換器９の下流側にバキュームブレーカ６１が設けられている。これにより、配管３内が負圧になった場合または配管１０内が負圧になった場合に、熱交換器９からの洗浄水の抜けが防止される。その結果、熱交換器９の空焚きが防止される。
【００７４】
（４）熱交換器
図４は、熱交換器９の構造の一例を示す一部切り欠き断面図である。図４に示すように、この熱交換器９は、樹脂ケース４３３および蛇行配管４３１を含む。
【００７５】
樹脂ケース４３３内に曲折された蛇行配管４３１が埋設されている。蛇行配管４３１に接触するように高出力密度の平板状のセラミックヒータ４３２が設けられている。矢印Ｙで示すように、洗浄水が、給水口４３４から蛇行配管４３１内に供給され、蛇行配管４３１中を流れる間に、セラミックヒータ４３２により効率よく加熱され、排出口４３５から排出される。
【００７６】
なお、本例の熱交換器９は、図３のサーミスタＳ２が排出口４３５の近傍に一体化して設けられた構成を有する。図３の制御部９０は、サーミスタＳ２より与えられる測定温度値に基づいて熱交換器９のセラミックヒータ４３２の温度をフィードバック制御する。
【００７７】
上記のように、この熱交換器９は、内部の蛇行配管４３１を流動する洗浄水を瞬間的に加熱する瞬間式加熱装置である。したがって、必要な量の洗浄水を瞬間的に所望の温度に加熱することができる。
【００７８】
また、この熱交換器９を備える衛生洗浄装置１００においては、使用者の局部の洗浄前に予め所定温度に加熱された洗浄水を保温しつつ貯留する必要がなくなる。したがって、洗浄水の貯留槽が不要であり、衛生洗浄装置１００の小型化および省エネルギー化が実現される。さらに、洗浄時間が長時間化した場合、および複数の使用者が連続して衛生洗浄装置１００を使用した場合でも、所定温度に加熱された洗浄水が不足することが防止される。
【００７９】
この熱交換器９のセラミックヒータ４３２は、例えば最大１２００Ｗで駆動される。この場合、熱交換器９は、例えば蛇行配管４３１を５００ｃｃ／ｍｉｎで流れる洗浄水を５℃から４２℃まで加熱することができる。また、セラミックヒータ４３２は、制御部９０（図３）による制御に基づき、水ポンプ１１（図３）の作動中にのみ洗浄水の加熱を行う。これにより、熱交換器９内の洗浄水の異常な温度上昇および洗浄水の空焚きを防止することができる。
【００８０】
上記では、熱交換器９の発熱源として高い電力密度を有する平板状のセラミックヒータ４３２を用いる例を説明したが、発熱源の構成はこれに限定されない。熱交換器９の発熱源としては、例えばシーズヒータ、マイカヒータまたはシートヒータ等を用いることもできる。
【００８１】
また、本実施の形態においては、制御部９０がフィードバック制御により熱交換器９のセラミックヒータ４３２の温度を制御するが、これに限定されない。例えば、フィードフォワード制御によりセラミックヒータ４３２の温度を制御してもよい。または、温度上昇時にフィードフォワード制御によりセラミックヒータ４３２を制御し、定常時にフィードバック制御によりセラミックヒータ４３２を制御する複合的な制御を行ってもよい。
【００８２】
（５）ノズル装置
（５−ａ）ノズル装置の全体構成
図５は、本体部２００の内部に設けられるノズル装置５００の外観斜視図である。
【００８３】
図５に示すように、本体部２００は、便器の上端面に取り付けられる下部ケーシング部２００Ｕを備える。下部ケーシング部２００Ｕ上にノズル装置５００および洗浄水供給機構が設けられる。図５においては、下部ケーシング２００Ｕに設けられるノズル装置５００以外の構成要素の図示は省略する。
【００８４】
ノズル装置５００はノズルガイド台５９０を有する。ノズルガイド台５９０は、下部ケーシング２００Ｕの略中央部に設けられる。下部ケーシング２００Ｕにおけるノズルガイド台５９０の側方に、ノズル装置５００の一部を構成する空気ポンプ１４が設けられる。
【００８５】
ノズルガイド台５９０の上部には、略円柱形状を有する人体洗浄ノズル５４０が水平面に対して傾斜した状態で進退可能に設けられる。後述するように、人体洗浄ノズル５４０は、人体の局部の洗浄時にノズルガイド台５９０の前端部から外方へ突出し、人体の局部の非洗浄時にノズルガイド台５９０の前端部の内側に収容される。
【００８６】
また、ノズルガイド台５９０には、人体洗浄ノズル５４０に隣接するように切替弁１３が設けられる。切替弁１３には、切替弁モータ１３ｍが接続される。
【００８７】
人体洗浄ノズル５４０の下方の中央部にはノズル進退モータ５４６ａが設けられる。ノズル進退モータ５４６ａの詳細は後述する。また、人体洗浄ノズル５４０および切替弁１３の下方の後部には図３の水ポンプ１１および水ポンプ１１を駆動するための水ポンプモータ１１ｍが設けられる。
【００８８】
本例において、ノズル装置５００の給水系に関する各構成要素間の接続には、複数のホースｈ１〜ｈ８が用いられる。これらのホースｈ１〜ｈ８の詳細は後述する。
【００８９】
この状態で、下部ケーシング部２００Ｕ、ノズル装置５００および洗浄水供給機構を覆うように上部ケーシングが取り付けられる。上部ケーシングに図１の便座部４００および蓋部４１０が取り付けられる。
【００９０】
（５−ｂ）ノズル装置の給水系
図６は、ノズル装置５００における洗浄水の給水系を説明するための図である。図６では、図５の空気ポンプ１４を除くノズル装置５００の構成要素の一部が示されている。
【００９１】
人体洗浄ノズル５４０の内部には、直線流路５５１（図３）、旋回流路５５２（図３）およびビデ流路５５３（図３）が形成される。詳細は後述する。人体洗浄ノズル５４０の後端部には、直線流路５５１、旋回流路５５２およびビデ流路５５３にそれぞれ連通する直線ポート５５１ｐ、旋回ポート５５２ｐおよびビデポート５５３ｐが設けられる。
【００９２】
ノズルガイド台５９０の前端部には、人体の局部の洗浄が行われないときに人体洗浄ノズル５４０の先端部を収容可能な先端ケーシング５２１が取り付けられる。先端ケーシング５２１は、人体洗浄ノズル５４０がノズルガイド台５９０に収容された状態で、人体洗浄ノズル５４０の先端部およびその近傍の領域を覆うように筒状に形成される。
【００９３】
先端ケーシング５２１の上部には、先端ケーシング５２１の内部に洗浄水を供給するためのノズル洗浄ノズル５２０が設けられる。ノズル洗浄ノズル５２０には、ノズル洗浄ポート５２０ｐが設けられる。先端ケーシング５２１の前端部には、先端ケーシング５２１の前端部開口を開閉可能なノズルシャッタ５２２が設けられる。
【００９４】
切替弁１３には、給水ポート１３１、ノズル洗浄吐出ポート１３２、旋回吐出ポート１３３、ビデ吐出ポート１３４および直線吐出ポート１３５が設けられる。
【００９５】
ここで、切替弁１３は外筒および内筒からなる。外筒に上記のポート１３１〜１３５が設けられる。内筒には、複数の孔部および溝部が形成される。外筒の内部に内筒が挿入される。
【００９６】
切替弁モータ１３ｍは、例えば回転軸の回転角度を調整可能なステッピングモータである。切替弁モータ１３ｍの回転軸は、内筒の一端に接続される。これにより、切替弁モータ１３ｍが動作することにより、外筒の内部で内筒が回転し、回転角度に応じて給水ポート１３１がノズル洗浄吐出ポート１３２、旋回吐出ポート１３３、ビデ吐出ポート１３４および直線吐出ポート１３５のいずれかと選択的に連通する。
【００９７】
また、切替弁１３の内筒が外筒に対して所定の回転角度にある状態では、給水ポート１３１はノズル洗浄吐出ポート１３２、旋回吐出ポート１３３、ビデ吐出ポート１３４および直線吐出ポート１３５のいずれとも連通しない（完全閉止状態）。この場合、給水ポート１３１から供給される洗浄水は切替弁１３の内筒の外周面により押し戻される。押し戻された洗浄水は図３のバキュームブレーカ３１まで逆流し、分岐配管３２を経て便器内に放出される。
【００９８】
入室検知センサ６００が使用者のトイレットルームへの入室を検出した場合、または図示しない着座センサが使用者の便座部４００への着座を検出した場合に切替弁１３が上記の完全閉止状態に制御される。これにより、使用者が便器を使用する前に洗浄水が放出されることにより、便器の内表面に水膜が形成される。その結果、便器の内表面に汚物等が付着することを防止することができる。
【００９９】
人体洗浄ノズル５４０の下方の後部に設けられる水ポンプ１１は、洗浄水の給水ポートおよび吐出ポートを有する。水ポンプ１１の給水ポートにホースｈ１の一端が接続され、水ポンプ１１の吐出ポートにホースｈ２の一端が接続される。ホースｈ１，ｈ２は図３の配管１０に相当する。
【０１００】
切替弁１３の給水ポート１３１にホースｈ２の他端が接続される。これにより、切替弁１３の給水ポート１３１は、ホースｈ２を介して水ポンプ１１の吐出ポートに接続される。
【０１０１】
切替弁１３のノズル洗浄吐出ポート１３２は、ホースｈ３を介してノズル洗浄ノズル５２０のノズル洗浄ポート５２０ｐに接続される。切替弁１３の旋回吐出ポート１３３は、ホースｈ４を介して人体洗浄ノズル５４０の旋回ポート５５２ｐに接続される。切替弁１３のビデ吐出ポート１３４は、ホースｈ５を介して人体洗浄ノズル５４０のビデポート５５３ｐに接続される。
【０１０２】
切替弁１３の直線吐出ポート１３５は、ホースｈ６を介してＴ字管５０３の一つのポートに接続される。Ｔ字管５０３の他の１つのポートは、ホースｈ７を介して人体洗浄ノズル５４０の直線ポート５５１ｐに接続される。また、Ｔ字管５０３のさらに他の１つのポートは、ホースｈ８を介して図５の空気ポンプ１４に接続される。
【０１０３】
人体の局部の洗浄時には、切替弁１３の給水ポート１３１に供給される洗浄水が人体洗浄ノズル５４０の直線ポート５５１ｐ、旋回ポート５５２ｐおよびビデポート５５３ｐの少なくとも一つに供給される。これにより、人体洗浄ノズル５４０から人体の局部に洗浄水が噴出される。
【０１０４】
また、人体洗浄ノズル５４０の直線ポート５５１ｐに洗浄水が供給されている状態で使用者により図２の空気スイッチ３２１が操作される場合には、切替弁１３からホースｈ６を通してＴ字管５０３に送られる洗浄水に、図５の空気ポンプ１４からホースｈ８を通して空気が混入される。
【０１０５】
これにより、後述するように、人体洗浄ノズル５４０から人体の局部に洗浄水が独立した水塊として断続的に噴出される。
【０１０６】
さらに、人体洗浄ノズル５４０の洗浄時には、切替弁１３の給水ポート１３１に供給される洗浄水がノズル洗浄ノズル５２０のノズル洗浄ポート５２０ｐに供給される。この場合、ノズル洗浄ノズル５２０から先端ケーシング５２１の内部に洗浄水が供給される。このとき、先端ケーシング５２１の内部では、洗浄水が人体洗浄ノズル５４０の外周面に沿って旋回するように流れる。これにより、人体洗浄ノズル５４０の先端部およびその近傍の領域が洗浄される。
【０１０７】
（５−ｃ）人体洗浄ノズルの進退機構
図７は、図６のノズル装置５００のＡ−Ａ線縦断面図である。図７のノズル装置５００においては、図６の複数のホースｈ１〜ｈ８の図示は省略する。
【０１０８】
図７に示すように、人体洗浄ノズル５４０の下面には、その軸心方向に沿ってラック５４０ｒが設けられる。人体洗浄ノズル５４０の下方において、ノズルガイド台５９０にノズル進退モータ５４６ａが取り付けられる。
【０１０９】
ノズル進退モータ５４６ａの回転軸には、図示しないウォームギアが取り付けられる。そのウォームギアに噛み合うように人体洗浄ノズル５４０の下部に変速ギア５４６ｂが設けられる。さらに、変速ギア５４６ｂおよび人体洗浄ノズル５４０のラック５４０ｒに噛み合うようにピニオンギア５４６ｃが設けられる。
【０１１０】
ノズル進退モータ５４６ａが動作すると、その回転力はウォームギア、変速ギア５４６ｂおよびピニオンギア５４６ｃを通して人体洗浄ノズル５４０のラック５４０ｒに伝達される。これにより、図７の太い矢印で示すように、人体洗浄ノズル５４０がその軸心方向に沿って進退動作する。
【０１１１】
ノズル進退モータ５４６ａには、回転センサ５４７が取り付けられている。回転センサ５４７は、ノズル進退モータ５４６ａの回転角度を検出し、図３の制御部９０に与える。これにより、図３の制御部９０は、図２の遠隔操作装置３００から与えられる信号および回転センサ５４７から与えられる回転角度に基づいてノズル進退モータ５４６ａを制御し、人体洗浄ノズル５４０の移動量を調整する。
【０１１２】
図８は、人体洗浄ノズル５４０がノズルガイド台５９０から突出した状態を示す外観斜視図である。図８のノズル装置５００においても、図６の複数のホースｈ１〜ｈ８の図示は省略する。
【０１１３】
使用者により図２のおしりスイッチ３１２またはビデスイッチ３１３が操作されることにより、ノズル進退モータ５４６ａが動作する。これにより、図８に示すように、人体洗浄ノズル５４０がノズルガイド台５９０の前端部から所定長さ突出する。そして、人体洗浄ノズル５４０の先端部近傍に形成された孔部５４０ｈから洗浄水が噴出される。
【０１１４】
ノズル進退モータ５４６ａの動作量は、図２のおしりスイッチ３１２が操作された場合と図２のビデスイッチ３１３が操作された場合とで異なる。おしりスイッチ３１２が操作された場合の人体洗浄ノズル５４０の突出長さは、ビデスイッチ３１３が操作された場合の人体洗浄ノズル５４０の突出長さに比べて大きくなる。
【０１１５】
（５−ｄ）人体洗浄ノズルの構造
図９は人体洗浄ノズル５４０の上面図であり、図１０は人体洗浄ノズル５４０の下面図であり、図１１は人体洗浄ノズル５４０の一方側の側面図である。また、図１２は図９の人体洗浄ノズル５４０のＢ−Ｂ線断面図であり、図１３は図１１の人体洗浄ノズル５４０のＥ−Ｅ線断面図である。図１４は図９の人体洗浄ノズル５４０のＣ−Ｃ線断面図であり、図１５は図９の人体洗浄ノズル５４０のＤ−Ｄ線断面図である。図１６は図１２の人体洗浄ノズル５４０の先端部を拡大した断面図である。図１７は図１６の人体洗浄ノズル５４０のＦ−Ｆ線断面図である。
【０１１６】
図９〜図１１に示すように、人体洗浄ノズル５４０は、ノズルカバー５０、ラック台座６０およびノズル本体７０を備える。
【０１１７】
ノズルカバー５０は、一端が閉塞された筒形状を有する。ノズルカバー５０の上面の一端部近傍に孔部５４０ｈが形成される。また、ノズルカバー５０の下面の一端部近傍に廃液口５０ｇが形成される。さらに、ノズルカバー５０他端部から略中央部にかけて切り欠き５２が形成される。
【０１１８】
ラック台座６０は、長手形状を有する。ラック台座６０の上面にノズル本体７０が保持される。この状態で、ラック台座６０は、ノズル本体７０をその長手方向に摺動可能に保持する。ラック台座６０の下面にはラック５４０ｒが設けられる。
【０１１９】
ノズル本体７０を保持するラック台座６０がノズルカバー５０の他端部に取り付けられる。これにより、ノズル本体７０の一部がノズルカバー５０の内部に挿入される。また、ラック台座６０に設けられたラック５４０ｒがノズルカバー５０の切り欠き５２に嵌め込まれる。
【０１２０】
ラック台座６０の一側面には、板バネ保持部５４２が設けられている。板バネ保持部５４２には突起部を有する板バネＦＳが取り付けられる。板バネＦＳは、突起部がノズル本体７０の一側面に対向するように配置される。
【０１２１】
ノズル本体７０の後端部近傍の一側面には、その長手方向に間隔をおいて２つの溝部Ｇ１，Ｇ２が形成されている。ノズル本体７０がラック台座６０上に載置された状態で、２つの溝部Ｇ１，Ｇ２は板バネＦＳの突起部が嵌合可能となっている。ノズル本体７０は、板バネＦＳの突起部が２つの溝部Ｇ１，Ｇ２のうちのいずれかに嵌合することによりラック台座６０上で位置決めされる。
【０１２２】
図１２〜図１５に示すように、人体洗浄ノズル５４０のノズル本体７０の内部には、その長手方向に延びるように直線流路５５１、旋回流路５５２およびビデ流路５５３が形成される。３つの流路５５１〜５５３に平行に延びるバッファタンク５５４が形成される。
【０１２３】
図１２に示すように、直線流路５５１はノズル本体７０の後端部側で直線ポート５５１ｐに連通し、ビデ流路５５３はノズル本体７０の後端部側でビデポート５５３ｐに連通する。また、図１３に示すように、旋回流路５５２はノズル本体７０の後端部側で旋回ポート５５２ｐに連通する。
【０１２４】
直線流路５５１および旋回流路５５２の内径は、例えば、それぞれ３．０ｍｍ〜３．５ｍｍである。
【０１２５】
図１６に示すように、人体洗浄ノズル５４０の先端部近傍の上面におしり噴出口５５５ａおよびビデ噴出口５５５ｂが形成される。おしり噴出口５５５ａは、ビデ噴出口５５５ｂの前方に位置する。人体洗浄ノズル５４０内の先端部近傍には、おしり噴出口５５５ａに連通する円柱状の混合室５５１ａが形成される。
【０１２６】
直線流路５５１の先端部は、混合室５５１ａの軸心に向かうように混合室５５１ａに連通する。直線ポート５５１ｐ（図１２）から供給された洗浄水は、直線流路５５１を流動し、混合室５５１ａの軸心に向かって底部から混合室５５１ａ内に流入する。洗浄水は、混合室５５１ａの底部からおしり噴出口５５５ａに向かって流動する。それにより、おしり噴出口５５５ａから直線流が噴出される。
【０１２７】
図１７に示すように、旋回流路５５２の先端部は、混合室５５１ａの軸心に対して偏心するように混合室５５１ａに連通する。旋回ポート５５２ｐ（図１３）から供給された洗浄水は、旋回流路５５２を通過し、混合室５５１ａの内周面に沿うように混合室５５１ａ内に流入する。このとき、混合室５５１ａ内で洗浄水に旋回成分が付与される。それにより、おしり噴出口５５５ａから旋回流が噴出される。
【０１２８】
直線流路５５１のみに洗浄水が供給された場合、おしり噴出口５５５ａから直線流が噴出される。また、直線流路５５１および旋回流路５５２に洗浄水が供給された場合、おしり噴出口５５５ａから広がり角度を有する分散旋回流が噴出される。
【０１２９】
図１６に示すように、ビデ流路５５３の先端部は屈曲してビデ噴出口５５５ｂに連通する。ビデ流路５５３の内径は、例えば３．０ｍｍ〜３．５ｍｍである。ビデ流路５５３の途中には、縮小された内径を有するイジェクタ５５６が形成される。イジェクタ５５６の内径は、例えば１．０ｍｍ〜１．５ｍｍである。また、イジェクタ５５６の近傍には、例えば１．０ｍｍ程度の内径を有する空気混入孔５５７が設けられる。ビデポート５５３ｐ（図１２）から供給された洗浄水は、ビデ流路５５３を流動し、ビデ噴出口５５５ｂから噴出される。
【０１３０】
図１３および図１４のバッファタンク５５４は、円形断面を有する流路である。バッファタンク５５４の両端は閉塞されている。バッファタンク５５４の内径は、例えば３．０ｍｍ〜３．２ｍｍである。バッファタンク５５４は、イジェクタ５５６の上流側でビデ流路５５３に連通する。バッファタンク５５４は、ビデ流路５５３内を流動する洗浄水の脈動を除去する機能を有する。
【０１３１】
水ポンプ１１（図３）によりビデ流路５５３に供給された洗浄水の圧力は脈動を伴う場合がある。特に、高い圧力を有する脈動を伴う洗浄水は、内径の小さいイジェクタ５５６を通過できずに、ビデ流路５５３の先端まで到達することができない。
【０１３２】
このような場合、洗浄水がイジェクタ５５６によりビデ流路５５３の後端側に押し戻され、図示しない連通路を通してバッファタンク５５４（図１２）に流入する。それにより、バッファタンク５５４の内部の空気が洗浄水の圧力により圧縮される。その結果、洗浄水の圧力変動が吸収され、洗浄水の脈動が緩和される。
【０１３３】
脈動が緩和された洗浄水は、バッファタンク５５４から図示しない連通路を通して再びビデ流路５５３へ戻り、内径の小さいイジェクタ５５６を通過し、ビデ流路５５３の先端部へ到達する。この場合、内径の小さいイジェクタ５５６から内径の大きいビデ流路５５３の部分に洗浄水が流入することにより、洗浄水に撹拌による渦流が発生する。その結果、洗浄水の圧力の脈動がより緩和される。これにより、ビデ噴出口５５５ｂから圧力の脈動が小さく柔らかい洗浄水が噴出される。
【０１３４】
図９に示すように、人体洗浄ノズル５４０がノズルガイド台５９０に収容されているときには、板バネＦＳの突起部がノズル本体７０の後側の溝部Ｇ２に嵌合している。この状態では、ノズル本体７０のビデ噴出口５５５ｂがノズルカバー５０の孔部５４０ｈに一致する。
【０１３５】
ここで、図９、図１１および図１２に示すように、ノズル本体７０の上面側には係止突起７０ｐが形成される。図８に示すように、人体洗浄ノズル５４０が図８のノズルガイド台５９０に対して前進すると、図１１の係止突起７０ｐが図８の先端ケーシング５２１に当接するまでは、板バネＦＳの突起部がノズル本体７０の後端側の溝部Ｇ２に嵌合している。
【０１３６】
この場合、ノズル本体７０のビデ噴出口５５５ｂからノズルカバー５０の孔部５４０ｈを通して洗浄水が噴出される。
【０１３７】
ノズル本体７０の係止突起７０ｐが図８の先端ケーシング５２１に当接すると、ノズルカバー５０およびラック台座６０に対してノズル本体７０の前進が規制される。これにより、板バネＦＳとノズル本体７０の溝部Ｇ２との間の嵌合状態が解除され、ノズル本体７０がラック台座６０上で摺動し、板バネＦＳの突起部がノズル本体７０の前側の溝部Ｇ１に嵌合する。
【０１３８】
この状態では、ノズル本体７０のおしり噴出口５５５ａがノズルカバー５０の孔部５４０ｈに一致する。したがって、ノズル本体７０のおしり噴出口５５５ａからノズルカバー５０の孔部５４０ｈを通して洗浄水が噴出される。
【０１３９】
本実施の形態では、おしりスイッチ３１２が操作された場合にノズル本体７０のおしり噴出口５５５ａがノズルカバー５０の孔部５４０ｈの位置に保持され、ビデスイッチ３１３が操作された場合にノズル本体７０のビデ噴出口５５５ｂがノズルカバー５０の孔部５４０ｈの位置に保持される。
【０１４０】
本実施の形態では、切替弁１３において、直線流路５５１に連通する流路の面積と旋回流路５５２に連通する流路の面積との比を変化させることができる。それにより、おしり噴出口５５５ａから噴出される洗浄水を直線流と分散旋回流とに連続的に切り替えることが可能となる。直線流は、旋回成分をほとんど有しない。直線流を用いることにより、洗浄水を集中させて１点を洗浄することができる。分散旋回流は、洗浄水の旋回成分を増大させることにより得られる。分散旋回流を用いることにより、洗浄水を拡散させながら広範囲を洗浄することができる。また、おしり噴出口５５５ａから噴出される洗浄水の拡散角度を制御することも可能である。
【０１４１】
さらに、切替弁１３において、直線流路５５１、旋回流路５５２およびビデ流路５５３にそれぞれ連通する流路の面積を変化させることにより、おしり噴出口５５５ａから噴出される洗浄水の流量およびビデ噴出口５５５ｂから噴出される洗浄水の流量を調整することも可能である。
【０１４２】
（５−ｅ）空気ポンプ
図１８は、空気ポンプ１４の模式的断面図である。本実施の形態では、空気ポンプ１４として、ダイアフラムポンプが用いられる。
【０１４３】
図１８に示すように、空気ポンプ１４は、ケーシング１４ａ、ポンプモータ１４ｂ、クランク体１４ｃ、駆動軸１４ｄ、揺動部材１４ｅ、複数のクラッシャ１４ｇ、ゴム製の複数のダイアフラム１４ｈおよび複数のアンブレラ弁１４ｉを備える。図１８の例では、２つのクラッシャ１４ｇ、２つのダイアフラム１４ｈおよび２つのアンブレラ弁１４ｉが設けられる。
【０１４４】
ケーシング１４ａの上面の中心部には、吐出口１４ｊが設けられ、吐出口１４ｊの周囲に複数の供給口１４ｋが設けられる。
【０１４５】
ポンプモータ１４ｂは、回転軸がケーシング１４ａの下面の中心部を貫通するようにケーシング１４ａの下部に設けられる。クランク体１４ｃは円柱形状を有する。ポンプモータ１４ｂの回転軸は、クランク体１４ｃの下面の中心に垂直に取り付けられる。駆動軸１４ｄは、クランク体１４ｃの上面の中心よりも外側に傾斜するように取り付けられる。揺動部材１４ｅは、駆動軸１４ｄに取り付けられる。この状態で、揺動部材１４ｅは、駆動軸１４ｄに対してその回転方向に摺動可能に保持される。
【０１４６】
複数のクラッシャ１４ｇは、揺動部材１４ｅに外周部に沿って取り付けられる。ケーシング１４ａの各供給口１４ｋにアンブレラ弁１４ｉが取り付けられる。各アンブレラ弁１４ｉの下端部および各供給口１４ｋを覆うようにケーシング１４ａの内側下面にダイアフラム１４ｈが設けられる。
【０１４７】
制御部９０（図３）の制御によりポンプモータ１４ｂの回転軸が回転すると、クランク体１４ｃが回転し、駆動軸１４ｄおよび揺動部材１４ｅが傾斜した状態で回転する。これにより揺動部材１４ｅが揺動する。それにより、複数のクラッシャ１４ｇが順に上下動し、複数のダイアフラム１４ｈを順に押圧する。押圧されていないダイアフラム１４ｈの内部の空間には供給口１４ｋを通して空気が流入する。各ダイアフラム１４ｈの押圧に伴って対応するアンブレラ弁１４ｉにより供給口１４ｋが閉じられるとともに、ダイアフラム１４ｈの内部の空間の空気が吐出口１４ｊを通して外部に吐出される。
【０１４８】
このようにして、ポンプモータ１４ｂの回転軸に伴って、複数の供給口１４ｋから複数のダイアフラム１４ｈの内部の空間に順に空気が流入するとともに、複数のダイアフラム１４ｈの内部の空間の空気が順に吐出口１４ｊを通して外部に吐出される。それにより、吐出口１４ｊから吐出される空気の圧力が略全波波形を有するように周期的に変動する。
【０１４９】
供給口１４ｋの数、クラッシャ１４ｇの数、ダイアフラム１４ｈの数およびアンブレラ弁１４ｉの数が多くすることにより、吐出口１４ｊから吐出される空気の圧力をほぼ一定にすることも可能である。
【０１５０】
（６）水ポンプの吐出圧力
以下の説明では、図３の水ポンプ１１による洗浄水の吐出圧力を水圧力と呼ぶ。本実施の形態において、水ポンプ１１としては、シリンダ内でピストンが往復動作することにより洗浄水を加圧する往復動ポンプが用いられる。したがって、水ポンプ１１の動作時には、水圧力が略正弦波形を描くように一の変動幅で周期的に変動する。この往復動ポンプにおいては、図５の水ポンプモータ１１ｍの回転力がピストンの動力となる。したがって、水圧力は水ポンプモータ１１ｍの回転速度を制御することにより調整される。
【０１５１】
例えば、水ポンプモータ１１ｍ（図５）の回転速度が高くなると、水圧力の変動周波数が高くなり、変動周期が短くなる。また、水圧力の変動幅が大きくなり、変動中心が高くなる。一方、水ポンプモータ１１ｍの回転速度が低くなると、水圧力の変動周波数が低くなり、変動周期が長くなる。また、水圧力の変動幅が小さくなり、変動中心が低くなる。
【０１５２】
使用者は、強さ調整スイッチ３２２，３２３（図２）を操作することにより洗浄強さを複数段に設定することができる。複数段の洗浄強さは複数段の水圧力に対応する。また、複数段の水圧力は水ポンプモータ１１ｍの複数の回転速度に対応する。
【０１５３】
ここで、図３の制御部９０には、強さ調整スイッチ３２２，３２３の操作により設定可能な複数段の洗浄強さと水ポンプモータ１１ｍの複数の回転速度との関係が記憶されている。
【０１５４】
これにより、制御部９０は、強さ調整スイッチ３２２，３２３を用いて使用者により設定された洗浄強さに基づいて水ポンプモータ１１ｍの回転速度を制御する。それにより、水圧力が使用者による強さ調整スイッチ３２２，３２３の設定に応じて変動する。
【０１５５】
水ポンプモータ１１ｍの回転速度が一定であっても、水圧力は水ポンプ１１への洗浄水の供給圧力の変動に応じて変動する。また、水ポンプ１１の水圧力と図３の配管３を流れる洗浄水の流量との間には一定の関係がある。そこで、本実施の形態において、制御部９０は、図３の流量センサ８による測定流量値に基づいて水ポンプモータ１１ｍの回転速度をフィードバック制御する。
【０１５６】
この場合、制御部９０は、強さ調整スイッチ３２２，３２３により設定可能な複数段の洗浄強さと洗浄水の流量との関係を予め記憶し、その対応関係に基づいて流量センサ８による測定流量値が、設定された洗浄強さに対応する流量になるように水ポンプモータ１１ｍの回転速度を制御する。これにより、水圧力が使用者による強さ調整スイッチ３２２，３２３（図２）の設定に対応する圧力に正確に調整される。
【０１５７】
なお、流量センサ８は、洗浄水の変動する流量の一定時間（例えば、０．５ｓｅｃ）の平均値を測定流量値として制御部９０に与える。
【０１５８】
（７）空気ポンプの吐出圧力
以下の説明では、図３の空気ポンプ１４による空気の吐出圧力を空気圧力と呼ぶ。
【０１５９】
上述のように、空気ポンプ１４としては、ダイアフラムポンプが用いられる。この空気ポンプ１４においては、図８のポンプモータ１４ｂの回転力がダイアフラム１４ｈの動力となる。したがって、空気圧力はポンプモータ１４ｂの回転速度を制御することにより調整される。
【０１６０】
例えば、ポンプモータ１４ｂの回転速度が高くなると、空気圧力の変動周波数が高くなり、変動周期が短くなる。また、空気圧力の変動幅が大きくなり、変動中心が高くなる。一方、ポンプモータ１４ｂの回転速度が低くなると、空気圧力の変動周波数が低くなり、変動周期が長くなる。また、空気圧力の変動幅が小さくなり、変動中心が低くなる。ポンプモータ１４ｂには駆動パルスが供給される。ポンプモータ１４ｂの回転速度は、駆動パルスのデューティ比を変動させることにより調整することができる。
【０１６１】
ここで、洗浄水の流量が多くなるにつれて洗浄水内に空気が混入しにくくなり、図３の直線流路５５１内で洗浄水が空気により分断されにくくなる。それにより、図３の人体洗浄ノズル５４０から洗浄水が独立した水塊として噴出されにくくなる。そこで、本実施の形態では、洗浄水の流量の増加にしたがって空気圧が増加するようにポンプモータ１４ｂの駆動パルスのデューティ比が制御される。
【０１６２】
図３の制御部９０には、洗浄水の流量と駆動パルスのデューティ比との関係を示すマップが予め記憶されている。このマップは、洗浄水の流量と洗浄水の水塊を形成するために必要な空気圧力との関係に基づいて作成される。
【０１６３】
制御部９０は、流量センサ８による測定流量値および予め設定されたマップに基づいてポンプモータ１４ｂの回転速度をフィードフォワード制御する。この場合、制御部９０は、流量センサ８による測定流量値に対応するデューティ比の値をマップから取得し、ポンプモータ１４ｂの駆動パルスのデューティ比を取得した値に調整する。これにより、洗浄水の流量にかかわらず確実にノズル装置５００から水塊が噴出される。
【０１６４】
（８）水圧力と空気圧力との関係
上述のように、人体の局部の洗浄中に使用者が図２の空気スイッチ３２１を操作すると、人体洗浄ノズル５４０から使用者の局部に洗浄水の水塊が断続的に噴出される。空気圧力は人体の局部の洗浄期間中に少なくとも１回、水圧力より高くなるように設定される。以下、このように設定される水圧力と空気圧力との関係について例示する。ここで、洗浄期間とは、使用者によるおしりスイッチ３１２の操作により、人体洗浄ノズル５４０から洗浄水が噴出されている期間をいう。
【０１６５】
（８−ａ）第１の圧力関係
図１９は、水塊噴出時に維持される水圧力と空気圧力との第１の圧力関係を示すグラフである。図１９においては、縦軸が圧力を示し、横軸が時間を示す。また、破線ｗｐが水ポンプ１１による水圧力を示し、実線ａｐが空気ポンプ１４による空気圧力を示す。
【０１６６】
図１９に示すように、本例では、水ポンプ１１による水圧力が最小値０から最大値Ｐｂの範囲で周期的に変動する。一方、空気ポンプ１４による空気圧力は、水圧力の最小値０よりも高く最大値Ｐｂよりも低い値Ｐａでほぼ一定に維持される。
【０１６７】
この場合、図１９に斜線で示すように、空気圧力が周期的に水圧力よりも高くなる。このとき、空気が、分断された気泡ではなく、空気塊として洗浄水に混入される。そのため、空気塊が図３の直線流路５５１内を流動する際に、空気塊は流路断面のほぼ全体を占める。これにより、直線流路５５１内の洗浄水が空気塊により分断され、直線流路５５１内に水塊と空気塊とが交互に形成される。直線流路５５１内を流動する水塊および空気塊は、図１６のおしり噴出口５５５ａから交互に断続的に噴出される。
【０１６８】
特に、直線流路５５１の内部を滑らかに形成することにより、直線流路５５１内に形成された水塊および空気塊の細分化を抑制することができる。
【０１６９】
おしり噴出口５５５ａから噴出された直後の洗浄水は、表面張力により略球状の水塊となる。このような水塊を局部に断続的に集中させて噴出することにより、均一な流量の洗浄水を局部に連続的に噴出する場合よりも、洗浄力が大幅に向上する。また、少量の洗浄水により十分な洗浄力が得られるため、空気が混入された洗浄水は節水効果をも有する。
【０１７０】
使用時に加熱された洗浄水が用いられる場合には、洗浄水の使用量が多くなると、加熱された洗浄水の準備が不十分になることがある。本実施の形態では、空気が混入された洗浄水を用いることにより、効率的かつ瞬時に加熱された洗浄水を供給することができる。さらに、空気が混入された洗浄水がおしり噴出口５５５ａから噴出されて大気に開放されるときには、水塊が空気の膨張により噴出方向へ加圧される。そのため、空気が混入された洗浄水を用いることにより、人体の刺激に対する感覚を向上させることができる。
【０１７１】
本例では、空気圧力が略一定に維持される。この場合、人体洗浄ノズル５４０に供給される空気を人体洗浄ノズル５４０に供給される洗浄水に規則的に混入させることが可能となる。これにより、人体洗浄ノズル５４０からは洗浄水と空気とが規則的に交互に噴出される。このような洗浄水を使用することにより、使用者は安定感の高い洗浄感を得ることができる。
【０１７２】
上記のように、本例では、水圧力が周期的に変動しているので、洗浄水の流量が多い場合でも、空気圧力を高めることなく、水圧力が空気圧力よりも低下する時点を容易に作り出すことができる。
【０１７３】
本例のように空気圧力を略一定に維持する場合、空気ポンプ１４としては、多数（例えば、３つ以上）の揺動部材１４ｅを備えるダイアフラムポンプを用いることが好ましい。この場合、揺動部材１４ｅの数が増加するほどに、より安定して均一な空気圧力を得ることができる。略均一な空気圧を得ることが可能な空気ポンプ１４として、ダイアフラムポンプに代えて、渦流ポンプを用いることもできる。
【０１７４】
（８−ｂ）第２の圧力関係
図２０は、水塊噴出時に維持される水圧力と空気圧力との第２の圧力関係を示すグラフである。図２０においても、縦軸が圧力を示し、横軸が時間を示す。また、破線ｗｐが水ポンプ１１による水圧力を示し、実線ａｐが空気ポンプ１４による空気圧力を示す。
【０１７５】
図２０に示すように、本例では、水ポンプ１１による水圧力が最小値Ｐｃから最大値Ｐｄの範囲で周期的に変動する。一方、空気ポンプ１４による空気圧力は、最小値０から最大値Ｐｅの範囲で周期的に変動する。また、空気圧力の最大値Ｐｅは、水圧力の最小値Ｐｃよりも高く水圧力の最大値Ｐｄよりも低い。
【０１７６】
この場合、図２０に斜線で示すように、空気圧力が周期的に水圧力よりも高くなる。このとき、空気は分断された比較的小さな気泡として周期的に洗浄水中に混入される。本例では、大量の気泡が洗浄中に混入されるため、図３の直線流路５５１内で合体し、空気塊へと成長する。そのため、空気塊が直線流路５５１内を流動する際に、空気塊は流路断面のほぼ全体を占める。これにより、直線流路５５１内の洗浄水は空気塊により分断され、直線流路５５１内に水塊と空気塊とが交互に形成される。
【０１７７】
このような効果は、空気圧力の変動周波数が水圧力の変動周波数よりも高いほど顕著になる。この場合、水圧力が低下する時点で、より多数回の空気の混入が行われるため、空気圧力の変動周波数と水圧力の変動周波数との間にずれが生じても、洗浄水に安定した流量の空気を混入することができる。
【０１７８】
直線流路５５１の断面積が徐々に小さくなるように直線流路５５１を形成することにより、直線流路５５１内でより効率よく洗浄水を空気塊により分断することができる。これにより、水塊および空気塊が図１６のおしり噴出口５５５ａまで到達し、図１６のおしり噴出口５５５ａから交互に断続的に噴出される。
【０１７９】
さらに、第２の圧力関係の場合、第１の圧力関係の場合に比べて簡単な構成で、人体洗浄ノズル５４０に供給される空気を人体洗浄ノズル５４０に供給される洗浄水に規則的に混入させることが可能となる。これにより、人体洗浄ノズル５４０からは洗浄水と空気とが規則的に交互に噴出される。その結果、人体洗浄ノズル５４０から独立した水塊が規則的に噴出される。このような洗浄水を使用することにより、使用者は安定感の高い洗浄感を得ることができる。
【０１８０】
（８−ｃ）第３の圧力関係
図２１は、水塊噴出時に維持される水圧力と空気圧力との第３の圧力関係を示すグラフである。図２１においても、縦軸が圧力を示し、横軸が時間を示す。また、破線ｗｐが水ポンプ１１の水圧力を示し、実線ａｐが空気ポンプ１４の空気圧力を示す。
【０１８１】
図２１に示すように、本例では、水ポンプ１１による水圧力が最小値Ｐｆから最大値Ｐｇの範囲で周期的に変動する。一方、空気ポンプ１４による空気圧力は、最小値０から最大値Ｐｈの範囲で周期的に変動する。また、空気圧力の最大値Ｐｈは、水圧力の最小値Ｐｆよりも大きく水圧力の最大値Ｐｇよりも小さい。
【０１８２】
この場合、図２１に斜線で示すように、空気圧力が不規則に水圧力よりも高くなる。そのため、水圧力が低下したときに洗浄水に空気が混入される場合と、水圧力が低下したときに洗浄水に空気が混入されない場合とが生じる。この場合、一定時間内で空気の混入が行われる回数にばらつきが生じる。これにより、洗浄水に混入される空気の流量が変動し、図３の直線流路５５１内で水塊と空気塊とが不規則に形成される。
【０１８３】
このような効果は、空気圧力の変動周波数が水圧力の変動周波数よりも低いほど顕著になる。この場合、洗浄水に空気が多数回混入される期間と洗浄水に空気が全く混入されない期間とを不規則に発生させることができる。
【０１８４】
おしり噴出口５５５ａから噴出された直後の洗浄水は、表面張力により略球状の水塊となる。ここで、直線流路５５１内で水塊と空気塊とが不規則に形成された場合、おしり噴出口５５５ａから噴出される水塊の大きさも不規則に変動する。このような洗浄水を使用することにより、使用者は洗浄水による不規則な刺激を得ることができる。
【０１８５】
人体は同一の刺激を長時間受けると、刺激に対して慣れてしまうため、刺激に対する感覚は低下する。そのため、不規則に形成された水塊と空気塊とが人体に噴出されることにより、人体の刺激に対する感覚の低下が抑制される。それにより、使用者は刺激感の高い洗浄感を得ることができるとともに、便意を促進させることができる。
【０１８６】
水圧力と空気圧力との関係を本例のように設定することより、小型の空気ポンプ１４（図３）を使用する場合にでも、十分に安定した量の空気を洗浄水に混入させ、使用者の嗜好に応じた洗浄感を与えることができる。
【０１８７】
（８−ｄ）他の例
（８−ｄ−１）上記実施の形態において、図２の遠隔操作装置３００には、洗浄水に混入される空気圧力を複数段に設定するための空気調整スイッチが設けられてもよい。
【０１８８】
この場合、使用者は空気調整スイッチを操作することにより、空気圧力を複数段に設定することができる。
【０１８９】
図２２は、水塊噴出時に維持される水圧力と空気圧力との圧力関係の他の例を示すグラフである。具体的には、本グラフは、一の空気圧力で水塊が噴出されている際に、使用者により空気圧力の設定が変更された場合の水圧力および空気圧力の変動を示す。
【０１９０】
図２２においても、縦軸が圧力を示し、横軸が時間を示す。また、破線ｗｐが水ポンプ１１の水圧力を示し、実線ａｐが空気ポンプ１４の空気圧力を示す。
【０１９１】
図２２に示すように、本例では、水ポンプ１１の水圧力が最小値０から最大値Ｐｂの範囲で周期的に変動する。これに対して、空気ポンプ１４の空気圧力は、時点ｔ０から時点ｔ１までの間、水圧力の最小値０よりも高く最大値Ｐｂよりも小さい値Ｐａでほぼ一定に維持される。そして、使用者により空気圧力の設定が変更された時点ｔ１以降で値Ｐａよりも小さい値Ｐｉでほぼ一定に維持される。この場合、図２２に斜線で示す時点で、空気が洗浄水に混入される。
【０１９２】
なお、値Ｐａに対する値Ｐｉの比率は例えば０．８である。この場合、時点ｔ１以降の洗浄水に対する空気の混入量が、時点ｔ０〜ｔ１における洗浄水に対する空気の混入量よりも少なくなる。このような空気圧力を選択することにより、使用者は、空気の流量が比較的少ない反面、流量が多く柔らかい洗浄感のある洗浄水を使用することができる。
【０１９３】
一方、使用者は空気圧力を高い側に設定変更することもできる。例えば、図２２において、値Ｐａに対する値Ｐｉの比率を１．３にしてもよい。この場合、時点ｔ１以降の洗浄水に対する空気の混入量が、時点ｔ０〜ｔ１における洗浄水に対する空気の混入量よりも多くなる。このような空気圧力を選択することにより、使用者は、空気により加速された刺激感の高い洗浄水を使用することができる。また、この場合、使用される洗浄水自体の量は少ないため、使用後の局部の乾燥を短時間で行うことができる。
【０１９４】
（８−ｄ−２）上記実施の形態においては、衛生洗浄装置１００（図１）は、１つの人体洗浄ノズル５４０（図３）の中に直線流路５５１（図３）、旋回流路５５２（図３）およびビデ流路５５３（図３）の３つの流路を含む構造を有するが、これに限定されない。例えば、衛生洗浄装置１００は、直線流路５５１および旋回流路５５２を含むノズルと、ビデ流路５５３を含むノズルとを有してもよい。
【０１９５】
この場合、使用者が直線流路５５１および旋回流路５５２を含むノズルを使用するときには、女性が特に気にするビデ流路５５３を含むノズルは衛生洗浄装置１００内に収納される。これにより、より衛生的な衛生洗浄装置１００を提供することができる。
【０１９６】
（８−ｄ−３）上記実施の形態では、水圧力の変動の例として、水圧力を略正弦波状に変動させるが、これに限定されない。例えば、水圧力を三角波状または矩形波状に変動させてもよい。また、水圧力を周期的でなく不規則に変動させてもよい。さらに、水圧力の変動の振幅が一定でなくてもよい。
【０１９７】
（８−ｄ−４）上記実施の形態においては、水ポンプ１１（図３）として、小型のピストンポンプが使用されるが、これに限定されない。例えば、プランジャポンプまたはダイアフラムポンプを利用することができる。また、大型のピストンポンプを利用することもできる。この場合、水ポンプ１１を本体部２００（図１）の外部に設けてもよい。
【０１９８】
水圧力の変動周波数は、水ポンプ１１に供給される洗浄水の流量と水ポンプ１１の排水量との比により決まる。上記実施の形態では、洗浄水を即時的に加熱する瞬間加熱方式の熱交換器９（図３）を採用する。そのため、水ポンプ１１に供給される洗浄水の流量は３００〜５００ｃｃ／ｍｉｎとなる。一方、使用される水ポンプ１１は限られた空間に取り付けられるため、排水量が０．１５ｃｃの小型の水ポンプ１１が使用される。この場合、水圧力の変動周波数は３３．３〜５５．６Ｈｚとなる。
【０１９９】
これに対し、大型のピストンポンプを使用する場合、排水量が増加するため、水圧力の変動周波数が高くなる。これにより、第３の圧力関係のように、水塊と空気塊とが不規則に形成された洗浄水をより容易に形成することが可能になる。
【０２００】
（８−ｄ−５）上記実施の形態においては、水圧力および空気圧力を適切に設定するために、流量センサ８（図３）の流量に基づいて、制御部９０（図３）が水ポンプ１１（図３）および空気ポンプ１４（図３）を制御する。水圧力および空気圧力を設定するための制御量は、洗浄水と空気とを合流させるＴ字管５０３（図５）の形状により異なる。
【０２０１】
図２３（ａ），（ｂ），（ｃ），（ｄ）は、Ｔ字管５０３の例を示す図である。
【０２０２】
図２３（ａ）の例では、直線状に設けられた洗浄水流入管５０３ａおよび空気流入管５０３ｂに対して流出管５０３ｃが垂直に設けられる。洗浄水流入管５０３ａ、空気流入管５０３ｂおよび流出管５０３ｃの内径は、例えば２．５ｍｍである。
【０２０３】
図２３（ｂ）の例では、直線状に設けられた洗浄水流入管５０３ａおよび流出管５０３ｃに対して空気流入管５０３ｂが傾斜するように設けられる。洗浄水流入管５０３ａおよび流出管５０３ｃの内径は、例えば６．０ｍｍであり、空気流入管５０３ｂの内径は、例えば１．０ｍｍである。
【０２０４】
図２３（ｃ）の例では、直線状に設けられた空気流入管５０３ｂおよび流出管５０３ｃに対して洗浄水流入管５０３ａが垂直に設けられる。洗浄水流入管５０３ａ、空気流入管５０３ｂおよび流出管５０３ｃの内径は、例えば６．０ｍｍであり、空気流入管５０３ｂ内には、例えば１．１５ｍｍの内径を有するイジェクタ５０３ｄが設けられる。
【０２０５】
図２３（ｄ）の例では、直線状に設けられた洗浄水流入管５０３ａおよび流出管５０３ｃに対して空気流入管５０３ｂが垂直に設けられる。洗浄水流入管５０３ａおよび流出管５０３ｃの内径は、例えば６．０ｍｍであり、空気流入管５０３ｂとして、例えば１．３ｍｍの内径を有するイジェクタが用いられる。
【０２０６】
上記実施の形態においては、図２３（ａ）に示すＴ字管５０３が用いられるが、これに限定されない。水ポンプ１１および空気ポンプ１４への制御量に応じて図２３（ｂ）〜図２３（ｄ）に示すＴ字管が用いられてもよい。
【０２０７】
（８−ｄ−６）上記実施の形態においては、流量センサ８（図３）により得られる洗浄水の流量と、図３の空気ポンプ１４への駆動パルスのデューティ比との関係が予めマップとして記憶され、マップを用いて駆動パルスのデューティ比を制御することにより人体洗浄ノズル５４０から噴出される洗浄水の圧力が使用者により設定された洗浄強さに対応する圧力に制御されるが、これに限定されない。例えば、図５のＴ字管５０３とおしり噴出口５５５ａとの間に圧力検出器を設け、圧力検出器により検出される圧力に基づいて図３の水ポンプ１１を制御することにより、人体洗浄ノズル５４０から噴出される圧力を使用者により設定された洗浄強さに対応する圧力に制御してもよい。
【０２０８】
（８−ｄ−７）第３の圧力関係において、空気圧力の変動周波数は水圧力の変動周波数よりも低くなるように制御されるが、これに限定されない。例えば、水圧力の変動周波数および空気圧力の変動周波数の少なくとも一方を不規則に変動させる制御を行ってもよい。
【０２０９】
この場合、図３の直線流路５５１内で、水塊と空気塊とをさらに不規則に形成することができる。そのため、図１６のおしり洗浄水噴出口５５５ａから噴出される水塊の大きさはさらに不規則になる。このような洗浄水を使用することにより、使用者はより不規則な刺激を得ることができるとともに、便意をより促進させることができる。
【０２１０】
（８−ｄ−８）水ポンプ１１の能力が使用者により設定可能な最大の洗浄強さを達成することができない場合に、空気ポンプ１４による空気圧力を上昇させることにより、人体洗浄ノズル５４０から噴出される洗浄水の圧力を最大の洗浄強さに対応する圧力に制御してもよい。
【０２１１】
（９）請求項の各構成要素と実施の形態の各部との対応関係
以下、請求項の各構成要素と実施の形態の各部との対応の例について説明するが、本発明は下記の例に限定されない。
【０２１２】
上記実施の形態においては、水ポンプ１１が洗浄水供給装置および洗浄水加圧装置の例であり、空気ポンプ１４が空気供給装置および空気加圧装置の例であり、孔部５４０ｈが噴出口の例であり、人体洗浄ノズル５４０が噴出装置の例であり、直線流路５５１が流路の例であり、Ｔ字管５０３が合流部の例であり、遠隔操作装置３００が操作部の例であり、流量センサ８が流量検出器の例であり、熱交換器９が瞬間式加熱装置の例である。
【０２１３】
請求項の各構成要素として、請求項に記載されている構成または機能を有する他の種々の要素を用いることもできる。
【産業上の利用可能性】
【０２１４】
本発明は、人体の局部を洗浄する衛生洗浄装置に有効に利用することができる。
【符号の説明】
【０２１５】
１  水道配管
２  分岐水栓
３，１０  配管
４  ストレーナ
５  逆止弁
６  定流量弁
７  止水電磁弁
８  流量センサ
９  熱交換器
１１  水ポンプ
１１ｍ  水ポンプモータ
１２  バッファタンク
１３  切替弁
１３ｍ  切替弁モータ
１４  空気ポンプ
１４ａ  ケーシング
１４ｂ  ポンプモータ
１４ｃ  クランク体
１４ｄ  駆動軸
１４ｅ  揺動部材
１４ｇ  クラッシャ
１４ｈ  ダイアフラム
１４ｉ  アンブレラ弁
１４ｊ  吐出口
１４ｋ  供給口
２０  ノズル部
３０，３２  分岐配管
３１，６１  バキュームブレーカ
５０  ノズルカバー
５０ｇ  廃液口
５２  切り欠き
６０  ラック台座
７０  ノズル本体
７０ｐ  係止突起
９０  制御部
１００  衛生洗浄装置
１３１  給水ポート
１３２  ノズル洗浄吐出ポート
１３３  旋回吐出ポート
１３４  ビデ吐出ポート
１３５  直線吐出ポート
２００  本体部
２００Ｕ  下部ケーシング部
３００  遠隔操作装置
３０１  コントローラ本体部
３０２  コントローラ蓋部
３１１  停止スイッチ
３１２  おしりスイッチ
３１３  ビデスイッチ
３２０  水流スイッチ
３２１  空気スイッチ
３２２，３２３  強さ調整スイッチ
３２４，３２５  位置調整スイッチ
３３１  自動開閉スイッチ
３３２  水温調整スイッチ
３３３  便座温度調整スイッチ
４００  便座部
４１０  蓋部
４３１  蛇行配管
４３２  セラミックヒータ
４３３  樹脂ケース
４３４  給水口
４３５  排出口
５００  ノズル装置
５０３  Ｔ字管
５０３ａ  洗浄水流入管
５０３ｂ  空気流入管
５０３ｃ  流出管
５０３ｄ，５５６  イジェクタ
５２０  ノズル洗浄ノズル
５２０ｐ  ノズル洗浄ポート
５２１  先端ケーシング
５２２  ノズルシャッタ
５４０  人体洗浄ノズル
５４０ｈ  孔部
５４０ｒ  ラック
５４２  板バネ保持部
５４６ａ  ノズル進退モータ
５４６ｂ  変速ギア
５４６ｃ  ピニオンギア
５４７  回転センサ
５５１  直線流路
５５１ａ  混合室
５５１ｐ  直線ポート
５５２  旋回流路
５５２ｐ  旋回ポート
５５３  ビデ流路
５５３ｐ  ビデポート
５５４  バッファタンク
５５５ａ  おしり噴出口
５５５ｂ  ビデ噴出口
５５７  空気混入孔
５９０  ノズルガイド台
６００  入室検知センサ
ＦＳ  板バネ
Ｇ１，Ｇ２  溝部
ｈ１〜ｈ８  ホース
Ｓ１，Ｓ２  サーミスタ
【図１】
2010031637.tif 000003
【図２】
2010031637.tif 000004
【図３】
2010031637.tif 000005
【図４】
2010031637.tif 000006
【図５】
2010031637.tif 000007
【図６】
2010031637.tif 000008
【図７】
2010031637.tif 000009
【図８】
2010031637.tif 000010
【図９】
2010031637.tif 000011
【図１０】
2010031637.tif 000012
【図１１】
2010031637.tif 000013
【図１２】
2010031637.tif 000014
【図１３】
2010031637.tif 000015
【図１４】
2010031637.tif 000016
【図１５】
2010031637.tif 000017
【図１６】
2010031637.tif 000018
【図１７】
2010031637.tif 000019
【図１８】
2010031637.tif 000020
【図１９】
2010031637.tif 000021
【図２０】
2010031637.tif 000022
【図２１】
2010031637.tif 000023
【図２２】
2010031637.tif 000024
【図２３】
2010031637.tif 000025